(57)【要約】【課題】シートと固定部材との接着不良を容易に防止すること。【解決手段】シート４００を固定する固定部材３００を当該シート４００上から加熱する加熱装置５００であって、固定部材３００をシート４００上から加熱する加熱部５２０と、気温を計測する気温計測部５８１と、気温計測部５８１が計測した気温に基づいて、加熱部５２０が固定部材３００を加熱する加熱時間を決定する制御部５８２と、を含む。【選択図】図１
2017128942.tif 000002
【特許請求の範囲】
【請求項１】
シートを固定する固定部材を当該シート上から加熱する加熱装置であって、
前記固定部材を前記シート上から加熱させる加熱部と、
気温を計測する気温計測部と、
前記気温計測部が計測した気温に基づいて、前記加熱部が前記固定部材を加熱する加熱時間を決定する制御部と、を含む、シートを固定させる加熱装置。
【請求項２】
前記加熱部に電流を供給する電源部を含み、
前記電源部が前記気温計測部を有する、請求項１記載のシートを固定させる加熱装置。
【請求項３】
前記気温計測部で計測された気温と、当該気温に基づいて前記固定部材が加熱された加熱時間と、を記録する第１記録部を含む、請求項１または２記載のシートを固定させる加熱装置。
【請求項４】
前記固定部材を識別する固定部材識別情報と、前記固定部材を加熱したか否かの施工情報と、を記録する第２記録部を含む、請求項１、２または３記載のシートを固定させる加熱装置。
【請求項５】
前記固定部材が加熱不足の場合、加熱不足であることを警告する警告部を含む、請求項１乃至４のいずれか１項に記載のシートを固定させる加熱装置。
【請求項６】
シートを固定する固定部材を当該シート上から加熱する加熱装置を用いて当該シートを当該固定部材に固定する固定方法であって、
前記加熱装置が、前記固定部材を加熱することにより前記シートを前記固定部材に固定させる加熱工程と、
気温を計測する気温計測工程と、
前記気温計測工程で計測した気温に基づいて、前記加熱工程で前記固定部材を加熱する加熱時間を決定する制御工程と、を含む、シートを固定する固定方法。
【請求項７】
前記固定部材が加熱不足の場合、加熱不足であることを警告する警告工程とを含む、請求項６記載のシートを固定する固定方法。
【発明の詳細な説明】
【技術分野】
【０００１】
本発明は、建築物の屋上等にシートを固定する装置、シートを固定する装置の位置を決定する装置および方法に関する。
【背景技術】
【０００２】
従来、コンクリート等からなる防水施工面の所定位置に、上面に熱溶着材層を有する導体片をアンカーボルトにより固定し、その上の防水シートに電磁誘導加熱具を押し当て、防水シートを導体片に接着していた。
【０００３】
また、従来、作業者は、電磁誘導加熱具で導体片を加熱後、電磁誘導加熱具を防水シートから離し、別の押圧治具で防水シートと導体片との押圧を行っていた。
【０００４】
また、押圧治具による防水シート上からの導体片への押圧時間は、マニュアル上指示があるものの実施工上は管理する方法がなく、作業者の経験と勘により判断されていた。
【０００５】
そのため、防水シートと導体片との接着に関して、施工管理上安定した品質とすることが困難であった。
【０００６】
特許文献１（特開２０１１−１０４５４５号公報）では、止水シート（防水シート）に押し当てられ、発熱体を発熱させる誘導加熱部と、誘導加熱部による発熱部分に対応する止水シートの温度を計測可能な温度センサーと、温度センサーの計測最高温度を取得し、固定体の各々に対応する計測最高温度を出力可能に記憶保持する管理部とを備える融着品質管理装置が開示されている。
【０００７】
特許文献２（特開２００５−３４４４８５号公報）では、熱溶着する材料を接着又は接合させるに当って、加熱時間の検知が簡単にでき、なおかつ色が変わることで判断できるラベルにより、検知したい部材に貼り付けることで、外気温等の作業条件が異なっても、熱溶着温度を定量的に目で確認でき、加熱の過不足による剥離等の心配がなくなる防水シートの熱溶着温度検知方法が開示されている。
【０００８】
具体的には、特許文献２に係る発明は、屋上等の下地に固定した金属ディスクに防水シートを熱溶着するための最適加熱温度を、テストピース，熱溶着材及び金属ディスクを用いて検知する手段として、温度の程度により変色するラベルを金属ディスクの裏面に貼付するというものである。
【先行技術文献】
【特許文献】
【０００９】
【特許文献１】特開２０１１−１０４５４５号公報
【特許文献２】特開２００５−３４４４８５号公報
【発明の概要】
【発明が解決しようとする課題】
【００１０】
しかし、特許文献１に係る発明は、止水シートの温度を計測するものである。そして、止水シートは、直射日光の影響を受けやすい。一方で、止水シートの下にある発熱体は、止水シートに覆われているため、直射日光の影響を受けにくい。
【００１１】
また、発熱体の温度が高ければ、発熱体を加熱する加熱時間が短くて済む。
【００１２】
つまり、止水シートの温度は、直射日光の影響を受けやすいため、実際の発熱体の温度より高く計測されるおそれがある。そして、この場合、発熱体を加熱する加熱時間が本来必要な加熱時間より短く判断され、止水シートと発熱体との接着不良が生じるおそれがある。
【００１３】
一方、特許文献２に係る発明は、電磁誘導加熱装置による加熱の程度と金属ディスクの昇温の程度（加熱時間）と適正な熱溶着状態を相関的に関連付けておき、電磁誘導加熱装置を作用させて、金属ディスクの温度を測定することで、電磁誘導加熱装置による適正な加熱時間を決定するようにしたものである。
【００１４】
つまり、特許文献２に係る発明は、テストピースの金属ディスクの下面に検知用材を貼着させ、その検知用材が適正な設定温度となるまでの時間を加熱時間として決定するものである。
【００１５】
しかし、特許文献２に係る発明は、わざわざテストピースを用いなければならず、煩わしさに堪えない。
【００１６】
本発明の目的は、シートと固定部材との接着不良を容易に防止することである。
【課題を解決するための手段】
【００１７】
（１）
一局面に従うシートを固定させる加熱装置は、シートを固定する固定部材を当該シート上から加熱する加熱装置であって、固定部材をシート上から加熱させる加熱部と、気温を計測する気温計測部と、気温計測部が計測した気温に基づいて、加熱部が固定部材を加熱する加熱時間を決定する制御部と、を含む、ものである。
【００１８】
シート下の固定部材の温度は、直射日光の影響を受けにくい。そして、固定部材の温度は、少なくとも気温以上はあると推定できる。そのため、気温が固定部材の最低温度であると仮定し、その温度（気温）に基づいて、固定部材を加熱する加熱時間を決定する。
【００１９】
これにより、シートと固定部材とが、固定部材の加熱時間不足による接着不良となることを防止できる。
【００２０】
（２）
第２の発明に係るシートを固定させる加熱装置は、一局面に従うシートを固定させる加熱装置であって、加熱部に電流を供給する電源部を含み、電源部が気温計測部を有する、ものである。
【００２１】
この場合、施工部（地表）からの反射熱の影響を受けにくい。そのため、気温が正確に測定される。なお、気温計測部は、電源部の冷却ファン近傍に設置するものが好ましい。この場合、気温計測部は、さらに施工部（地表）からの反射熱および直射日光の影響を受けにくい。そのため、気温がさらに正確に測定される。
【００２２】
（３）
第３の発明に係るシートを固定させる加熱装置は、一局面または第２の発明に従うシートを固定させる加熱装置であって、気温計測部で計測された気温と、当該気温に基づいて固定部材が加熱された加熱時間と、を記録する第１記録部を含む、ものである。
【００２３】
この場合、施工部の気温と固定部材を加熱した加熱時間とが記録されるため、作業者は、施工完了後にどのような条件の下で施工を行ったか容易にわかる。
【００２４】
（４）
第４の発明に係るシートを固定させる加熱装置は、一局面から第３の発明に従うシートを固定させる加熱装置であって、固定部材を識別する固定部材識別情報と、固定部材を加熱したか否かの施工情報と、を記録する第２記録部を含む、ものである。
【００２５】
この場合、個々の固定部材に関して記録がされるため、作業者は施工忘れを防止できる。
【００２６】
（５）
第５の発明に係るシートを固定させる加熱装置は、一局面から第４の発明に従うシートを固定させる加熱装置であって、固定部材が加熱不足の場合、加熱不足であることを警告する警告部を含む、ものである。
【００２７】
この場合、作業者は、警告されることにより、施工忘れを防止することができる。
【００２８】
（６）
他の局面に従うシートを固定する固定方法であって、シートを固定する固定部材を当該シート上から加熱する加熱装置を用いて当該シートを当該固定部材に固定する固定方法であって、加熱装置が、前記固定部材を加熱することによりシートを固定部材に固定させる加熱工程と、気温を計測する気温計測工程と、気温計測工程で計測した気温に基づいて、加熱工程で前記固定部材を加熱する加熱時間を決定する制御工程と、を含む方法である。
【００２９】
シート下の固定部材の温度は、直射日光の影響を受けにくい。そして、固定部材の温度は、少なくとも気温以上はあると推定できる。そのため、気温が固定部材の最低温度であると仮定し、その温度（気温）に基づいて、固定部材を加熱する加熱時間を決定する。
【００３０】
これにより、シートと固定部材とが、固定部材の加熱時間不足による接着不良となることを防止できる。
【００３１】
（７）
第７の発明に係るシートを固定する固定方法は、他の局面に従うシートを固定する固定方法であって、固定部材が加熱不足の場合、加熱不足であることを警告する警告工程とを含む、方法である。
【００３２】
この場合、作業者は、警告されることにより、施工忘れを防止することができる。
【図面の簡単な説明】
【００３３】
【図１】本発明の一実施形態における加熱装置の斜視図。
【図２】同加熱装置をシートに押圧する前の側面視断面図。
【図３】同加熱装置をシートに押圧する前の斜視図。
【図４】同加熱装置をシートに押圧したときの側面視断面図。
【図５】同加熱装置のＸ−Ｘにおける平面視断面図。
【図６】同加熱装置の制御部のブロック図。
【図７】本発明の一実施形態における施工現場の模式図。
【図８】本発明の一実施形態における加熱装置がシートと固定部材と固定するフローチャート。
【発明を実施するための形態】
【００３４】
本発明の実施形態について図面を用いて説明する。本実施形態は、図７に示すように、建築物の屋上、ベランダ、廊下、階段等の施工部１００にシートである防水シート４００を張り付けるものである。建築物の屋上、ベランダ、廊下、階段等に防水シート４００を張り付けることにより、建築物の寿命を長くし、見た目もよくなる。
【００３５】
本実施形態の施工部１００の材質は、コンクリートである。図２に示すように、作業者は、当該施工部１００にプラグビス２００を用いて固定部材３００を固定する。言い換えると、プラグビス２００は、固定部材３００を施工部１００に固定する。
【００３６】
（固定部材３００の構造）
固定部材３００は金属等の導電性を有するものであり、誘導加熱により加熱される材質である。また、図３に示すように、固定部材３００は、平面視略円形状で上面が平坦なディスク形状である。また、固定部材３００は、平面視略中央に貫通孔３１０と、その貫通孔３１０の周縁に溝部３２０とを有する。そして、固定部材３００の上面には熱可塑性樹脂層を含む。
【００３７】
なお、本実施形態では固定部材３００は平面視略円形状であるが、そのような形状でなくてもよく、防水シート４００と接着（固定）できるものであればどのような形状であってもよい。
【００３８】
固定部材３００の上面には、防水シート４００の下面を接着させる。そのため固定部材３００の上面は、防水シート４００の下面が接着しやすいようになっている。
【００３９】
本実施形態では、固定部材３００の上面は熱可塑性樹脂層である。固定部材３００は、防水シート４００を介して熱を加えられることにより、固定部材３００の熱可塑性樹脂層が溶融する。その結果、防水シート４００と固定部材３００とが接着する。
【００４０】
具体的には、固定部材３００は金属等の導電性を有するものである。そのため、加熱装置である電磁誘導加熱装置５００が、防水シート４００上の所定の場所に押し付けられることにより、防水シート４００の下にある固定部材３００が加熱される。その結果、固定部材３００の上面の熱可塑性樹脂層が溶融し、防水シート４００と固定部材３００とが接着する。
【００４１】
なお、本実施形態では固定部材３００の上面に熱可塑性樹脂層を備えているが、そのような層を備えてなくてもよく、防水シート４００が接着すればどのようなものであってもよい。
【００４２】
例えば熱可塑性樹脂層を有さない固定部材３００をプラグビス２００で固定した後、固定部材３００の上面に熱可塑性樹脂（例えばホットメルト接着剤）を塗布してもよい。
【００４３】
この場合、防水シート４００の下の固定部材３００が熱を加えられることにより、防水シート４００の下面は、固定部材３００の上面と接着する。
【００４４】
なお、固定部材３００は、プラグビス２００により施工部１００に固定される。そして、プラグビス２００は固定部材３００の貫通孔３１０を通して施工部１００に打ち付ける。
【００４５】
（防水シート４００の構造）
防水シート４００の下面は、固定部材３００の上面と同様に熱可塑性樹脂層を備える。この場合、固定部材３００の上面に熱可塑性樹脂層を備えてないものであっても、防水シート４００の下の固定部材３００が熱を加えられることにより、固定部材３００の上面と防水シート４００の下面とは接着する。
【００４６】
なお、防水シート４００の下面も固定部材３００の上面と同様に、ホットメルト接着剤が塗布されているものであってもよい。この場合、防水シート４００の下の固定部材３００が熱を加えられることにより、固定部材３００の上面と防水シート４００の下面とは接着する。
【００４７】
熱可塑性樹脂層の熱可塑性樹脂の例としては、ポリオレフィン、ポリスチレン、ポリ酢酸ビニル、ポリビニルアルコール、ポリビニルアセタール、ポリアクリレート、ポリアクリルアミド、ポリアクリロニトリル、ポリエーテル、ポリ塩化ビニル、ポリ塩化ビニリデン、ポリエステル、ポリアミド、ポリイミド、ポリスルホン等がある。
【００４８】
ホットメルト接着剤の例としては、ポリ酢酸ビニル、エチレン−酢酸ビニル共重合体、ポリビニルブチラール、ポリオレフィン、ポリアミド、ポリエステル等がある。
【００４９】
防水シート４００は防水性を有し、水分が浸透しにくい材質等が使用されている。例えば、防水シート４００は、それ自体が防水性樹脂で構成されていてもよい。また、防水シート４００は、表面に防水性の層を備えるものであってもよい。
【００５０】
防水シート４００は、上面に凹凸加工が施されたり、上面に機能性層が積層されたりすることで、滑りにくい処理がなされていてもよい。防水シート４００は、多少水等の水分が浸透しても、水分がシートを通過しないものであればよい。
【００５１】
防水性の熱可塑性樹脂の例としては、ポリオレフィン、ポリスチレン、ポリ酢酸ビニル、ポリアクリレート、ポリアクリルアミド、ポリアクリロニトリル、ポリエーテル、ポリ塩化ビニル、ポリ塩化ビニリデン、ポリエステル、ポリアミド、ポリイミド、ポリスルホン等の非水溶性樹脂がある。
【００５２】
（電磁誘導加熱装置５００の構造）
加熱装置である電磁誘導加熱装置５００について説明する。電磁誘導加熱装置５００は、図１、図２、図３、図４に示すように、ケース５１０と、ケース５１０内に固定部材３００を加熱するためのコイル５２０と、ケース５１０の底部分に設けられる押圧部５３０と、固定部材３００の溝部３２０に嵌合させる嵌合部５４０と、持ち手である把手部５５０と、所定時間を計測する計測部５６０と、計測部５６０による計測後所定時間が経過したことを報知する報知部５７０と、コイル５２０に電流を供給する電源部５８０と、を含む。
【００５３】
ケース５１０は、平面視略円形状であり、固定部材３００の平面視形状とほぼ同じ形状である。
【００５４】
コイル５２０は、ケース５１０内にある。押圧部５３０を防水シート４００に押し当てることで、コイル５２０により防水シート４００の下の固定部材３００が加熱する。
【００５５】
押圧部５３０は、ケース５１０の底部分に設けられ、防水シート４００に接触する。本実施形態では、押圧部５３０は弾性部材からなる。なお、押圧部５３０は、防水シート４００を固定部材３００に押し付けられればどのようなものであってもよく、弾性部材でなくてもよい。また、押圧部５３０は、ケース５１０の底部分を形成するものであってもよい。
【００５６】
嵌合部５４０は、図２、図３、図４に示すように、押圧部５３０の中央部５３１に配置されている。嵌合部５４０は、平面視略リング状であり、固定部材３００の溝部３２０に、防水シート４００を介して嵌合可能な形状である。
【００５７】
計測部５６０は、電磁誘導加熱装置５００が防水シート４００を介して固定部材３００を加熱する加熱時間と、当該加熱終了後にそのまま防水シート４００に対して押圧する押圧時間とを計測する。本実施形態では、計測部５６０が、加熱時間計測部と押圧時間計測部とに相当する。
【００５８】
電磁誘導加熱装置５００が防水シート４００を介して固定部材３００を加熱する。しかし、電磁誘導加熱装置５００による固定部材３００の加熱する時間が短い場合、防水シート４００と固定部材３００とは、接着不良となるおそれがある。
【００５９】
そこで、計測部５６０が、電磁誘導加熱装置５００で固定部材３００を加熱する時間を計測する。そして、所定時間経過するまで電磁誘導加熱装置５００は、防水シート４００を介して固定部材３００を加熱する。
【００６０】
また、計測部５６０は、電磁誘導加熱装置５００の押圧部５３０を防水シート４００に押圧する押圧時間を計測する。そして、所定時間経過するまで電磁誘導加熱装置５００の押圧部５３０は、防水シート４００に押し当てられる。
【００６１】
この結果、防水シート４００と固定部材３００とは、しっかりと接着する。
【００６２】
報知部５７０は、電磁誘導加熱装置５００で固定部材３００を加熱する時間が、所定時間となった場合、加熱時間の終了を報知するアラームを鳴らす。これにより電磁誘導加熱装置５００による固定部材３００の加熱が十分であることがわかる。
【００６３】
また、報知部５７０は、電磁誘導加熱装置５００の押圧部５３０を防水シート４００に押圧する押圧時間が、所定時間となった場合、押圧時間の終了を報知するアラームを鳴らす。これにより押圧部５３０による防水シート４００の押圧時間が十分であることがわかる。
【００６４】
本実施形態では、報知部５７０が、加熱時間報知部と、押圧時間報知部とに相当する。
【００６５】
なお、本実施形態では、加熱時間計測部と押圧時間計測部とは、同じ計測部５６０であるが、加熱時間計測部と押圧時間計測部とは、別々の計測部であってもよい。
【００６６】
また、本実施形態では、加熱時間報知部と押圧時間報知部とは、同じ報知部５７０であるが、加熱時間報知部と押圧時間報知部とは、別々の報知部であってもよい。
【００６７】
図６に示すように、電源部５８０は、外気の温度を計測する温度計５８１と、制御部５８２と、エラーを表示する表示部５８５と、警告音を鳴らすスピーカー５８６と、温度計５８１により計測された気温を表示する気温表示部５８７と、コイル５２０に電流を供給する供給部５８８と、を含む。なお、電源部５８０は冷却ファン（図示しない）を含むものであってもよい。
【００６８】
温度計５８１は、外気の温度を計測する。なお、本実施形態では、温度計５８１は、電源部５８０に設けられているが、加熱装置５００のケース５１０に設けられていてもよい。また、温度計５８１は、冷却ファン（図示しない）の近傍に設けられていてもよい。
【００６９】
温度計５８１によって計測された気温は、気温表示部５８７で表示される。なお、本実施形態では、気温表示部５８７は、電源部５８０に設けられているが、加熱装置５００のケース５１０に設けられていてもよい。
【００７０】
制御部５８２は、記録部５８３と、警告部５８４と、を含む。
【００７１】
作業者は、記録部５８３に、表１に記載されているような加熱時間決定情報をあらかじめ記録しておく。つまり、温度計５８１によって計測された気温が何度になるかにより、固定部材３００を加熱する加熱時間が決定する。記録部５８３は、当該加熱時間決定情報を記録する。
【００７２】
また、決定された加熱時間は、表示部５８５に表示される。この結果、作業者は、決定された加熱時間を確認することができる。表示部５８５に表示される加熱時間はタイマーとしてもよい。この場合、作業者は、固定部材３００を加熱した時間を容易に把握することができる。
【００７３】
決定された加熱時間のタイマーは、制御部５８２が行う。なお、加熱時間のタイマーは、スピーカー５８６で音声によりカウントするものであってもよい。
【００７４】
【表１】
2017128942.tif 000003
【００７５】
表１に示すように、例えば、温度計５８１によって計測された気温が５℃の場合、固定部材３００を加熱する加熱時間は、７秒と決定される。加熱時間の決定は、制御部５８２が行う。
【００７６】
温度計５８１と、表１に記載された加熱時間決定情報と、から決定された加熱時間に相当する電流が、供給部５８８からコイル５２０に供給されていない場合、制御部５８２は、固定部材３００を加熱する時間が不足していると判断する。
【００７７】
制御部５８２が、固定部材３００を加熱する時間が不足していると判断した場合、警告部５８４は、表示部５８５にエラー表示をする。または、警告部５８４は、スピーカー５８６から警告音を鳴らす。なお、警告部５８４は、エラー表示および警告音の両方を行ってもよい。
【００７８】
記録部５８３は、温度計５８１によって計測された気温を記録する。また、記録部５８３は、固定部材３００が加熱された時間を記録する。本実施形態では、記録部５８３は、供給部５８８がコイル５２０に電流を供給する時間を記録し、間接的に固定部材３００が加熱された時間を記録している。
【００７９】
なお、記録部５８３は、固定部材３００が加熱された時間を直接記録してもよい。この場合、制御部５８２は、電磁誘導加熱装置５００の電源のｏｎ・ｏｆｆで、固定部材３００の加熱時間を計算する。そして、記録部５８３は、その計算値を加熱時間として記録する。
【００８０】
記録部５８３は、固定部材３００を識別するための固定部材識別情報を記録する。具体的には、記録部５８３は、それぞれの固定部材３００を識別するＩＤ（固定部材識別情報）を記録する。
【００８１】
記録部５８３は、施工部１００を識別するための施工部識別情報を記録する。施工部識別情報とは、例えば、施工部１００を識別するための番号のことである。
【００８２】
図７に示すように、例えば施工部１００のうちのひとつの施工部１００ａの施工部識別情報は「０００１」とする。そして、固定部材３００ａ〜３００ｉの固定部材識別情報は「１００１」〜「１００９」とする。固定部材３００ａが固定部材識別情報「１００１」に対応し、固定部材３００ｉが固定部材識別情報「１００９」に対応する。
【００８３】
固定部材３００ａ〜３００ｉが防水シート４００と接着されたかどうかの情報は、記録部５８３に記録される。例えば、固定部材３００ｆが電磁誘導加熱装置５００により加熱された場合、その情報が記録部５８３に記録される。
【００８４】
固定部材３００ａ〜３００ｉが加熱されたかどうかは、固定部材識別情報の入力、または表示部５８５に表示されている固定部材識別情報の選択により行われる。
【００８５】
なお、電磁誘導加熱装置５００が固定部材３００を識別するセンサを有し、自動的に固定部材識別情報が認識されてもよい。
【００８６】
また、例えば、固定部材３００ｄが電磁誘導加熱装置５００により加熱されなかった場合（施工忘れの場合）、エラー表示が表示部５８５に表示される。エラー表示は、警告部５８４が行う。そして、固定部材３００ｄの固定部材識別情報「１００４」には、エラーである旨が記録部５８３に記録される。
【００８７】
記録部５８３は、施工したときの気温、湿度、天気、日にち、場所等の施工情報を記録する。
【００８８】
なお、本実施形態の記録部５８３が、第１記録部および第２記録部に相当する。本実施形態では、第１記録部と第２記録部とは、同じ記録部５８３であるが、別々の記録部であってもよい。
【００８９】
供給部５８８は、電磁誘導加熱装置５００のコイル５２０に電流を供給する。コイル５２０に電流が流れることにより、磁界が発生し、固定部材３００が加熱される。
【００９０】
（電磁誘導加熱装置５００が防水シート４００を固定部材３００に固定させる方法）
図８に示すように、防水シート４００を施工部１００に接着する工程に関して説明する。まず、温度計５８１が、外気の気温を計測する（ステップＳ１１）。
【００９１】
そして、制御部５８２は、温度計５８１が測定した気温に基づき、固定部材３００を加熱する加熱時間を決定する（ステップＳ１２）。
【００９２】
具体的には、制御部５８２は、電源部５８０が、コイル５２０に電流を流す時間を決定する。そして、制御部５８２は、間接的に、固定部材３００を加熱する加熱時間を決定する。
【００９３】
制御部５８２により決定された加熱時間は、表示部５８５に表示される（ステップＳ１３）。この場合、制御部は、決定された加熱時間をスピーカー５８６により報知してもよい。
【００９４】
固定部材３００が施工部１００にプラグビス２００で固定されている。そして、作業者は、電磁誘導加熱装置５００を、防水シート４００上を移動させ、嵌合部５４０が、防水シート４００を介して、固定部材３００の溝部３２０に嵌合する位置を探す（ステップＳ１４）。
【００９５】
つまり、電磁誘導加熱装置５００の底面に配置された嵌合部５４０が、固定部材３００の溝部３２０に、防水シート４００を介して嵌合されることにより、電磁誘導加熱装置５００を防水シート４００に押し当てる位置が決定する。そして、電磁誘導加熱装置５００は、防水シート４００に押し当てられ、固定部材３００を加熱する。
【００９６】
次に、固定部材３００の溝部３２０は、電磁誘導加熱装置５００の嵌合部５４０により、防水シート４００を介して、押し当てられる（ステップＳ１５）。
【００９７】
電磁誘導加熱装置５００の嵌合部５４０が、防水シート４００を介して固定部材３００の溝部３２０に押し当てられることにより、防水シート４００と溝部３２０との間の空気が、押し出される（ステップＳ１６）。
【００９８】
嵌合部５４０によって押し出された空気は、防水シート４００がまだ固定部材３００に接着されていないため、防水シート４００と固定部材３００との間から、固定部材３００の外方へ移動する。
【００９９】
次に、電磁誘導加熱装置５００は、防水シート４００を介して、防水シート下の固定部材３００を加熱する（ステップＳ１７）。
【０１００】
つまり、電磁誘導加熱装置５００が、防水シート４００上から固定部材３００を加熱することにより防水シート４００を固定部材３００に固定させる。
【０１０１】
計測部５６０は、電磁誘導加熱装置５００で固定部材３００を加熱する加熱時間を計測する（ステップＳ１８）。
【０１０２】
電磁誘導加熱装置５００で固定部材３００を加熱する時間が、所定時間経過した場合、報知部５７０は、加熱時間の終了を知らせるアラームを鳴らす（ステップＳ１９）。
【０１０３】
計測部５６０により計測された加熱時間が、制御部５８２により決定された加熱時間に到達していない場合、警告部５８４が表示部５８５でエラー表示をする（ステップＳ２０）。この場合、警告部５８４は、スピーカー５８６で警告音を鳴らしてもよい。
【０１０４】
計測部５６０は、電磁誘導加熱装置５００での固定部材３００の加熱終了後、押圧部５３０が防水シート４００を押圧する押圧時間を計測する（ステップＳ２１）。
【０１０５】
電磁誘導加熱装置５００の押圧部５３０で防水シート４００を押し当てる時間が、所定時間経過した場合、報知部５７０は、押圧時間の終了を知らせるアラームを鳴らす（ステップＳ２２）。
【０１０６】
電磁誘導加熱装置５００の嵌合部５４０が、固定部材３００の溝部３２０に押し当てられた状態で、電磁誘導加熱装置５００が固定部材３００を加熱すると同時に、防水シート４００に溶着マーク４１０が附される。
【０１０７】
溶着マーク４１０は、固定部材３００の溝部３２０の形状に起因する。つまり、固定部材３００の溝部３２０の形状に基づいて、電磁誘導加熱装置５００の嵌合部５４０の形状が決定する。
【０１０８】
そして、当該嵌合部５４０の形状により、溶着マーク４１０の形状が決まる。嵌合部５４０の形状がリング状であるため、本実施形態の溶着マーク４１０の形状は、リング状である。
【０１０９】
作業者は、施工後、防水シート４００に溶着マーク４１０が附されているかどうかを確認する。つまり、作業者は、施工後に、固定部材３００と防水シート４００とが接着されているかどうかを確認することができる。
【０１１０】
そして、作業者は、施工後に施工完了したことがわかるように防水シート４００の写真を撮る。作業者は防水シート４００上の溶着マーク４１０を確認することにより、適切に防水シート４００と固定部材３００とが接着したかを確認することができる。
【０１１１】
なお、溶着マーク４１０ではなく、作業者は、別途スタンプ等により防水シート４００にマーキングしてもよい。
【０１１２】
以上のように、本実施の形態にかかるシートを固定する固定方法によると、  防水シート４００下の固定部材３００の温度は、直射日光の影響を受けにくい。そして、固定部材３００の温度は、少なくとも気温以上はあると推定できる。そのため、気温が固定部材３００の最低温度であると仮定し、その温度（気温）に基づいて、固定部材３００を加熱する加熱時間を決定する。
【０１１３】
これにより、防水シート４００と固定部材３００とが、固定部材３００の加熱時間不足による接着不良となることを防止できる。
【０１１４】
また、作業者は、電磁誘導加熱装置５００の電源部５８０を背負ったり、肩にかけたり、腰に巻きつけたりしている場合が多い。そのため、施工部１００（地表）からの反射熱の影響を受けにくい。そのため、気温が正確に測定される。
【０１１５】
また、施工部１００の気温と固定部材３００を加熱した加熱時間とが記録されるため、作業者は、施工完了後にどのような条件の下で施工を行ったか容易にわかる。
【０１１６】
また、個々の固定部材３００に関して記録がされるため、作業者は施工忘れを防止できる。
【０１１７】
また、作業者は、警告されることにより、施工忘れを防止することができる。
【０１１８】
本発明においては、接着が「固定」に相当し、固定部材３００が「固定部材」に相当し、防水シート４００が「シート」に相当し、溶着マーク４１０が「マーク」に相当し、電磁誘導加熱装置５００が「加熱装置」に相当し、ケース５１０が「ケース」に相当し、コイル５２０が「加熱部」に相当し、押圧部５３０が「押圧部」に相当し、温度計５８１が「気温計測部」に相当し、記録部５８３が「第１記録部」、「第２記録部」に相当する。
【０１１９】
本発明において、ステップＳ１１が「気温計測工程」に相当し、ステップＳ１２が「制御工程」に相当し、ステップＳ１５が「加熱時間計測工程」に相当し、ステップＳ１７からテップＳ１９が「加熱工程」に相当し、ステップＳ１９が「加熱時間報知工程」に相当し、ステップＳ２０が「警告工程」に相当し、ステップＳ２１が「押圧時間計測工程」に相当し、ステップＳ２２が「押圧時間報知工程」に相当する。
【０１２０】
本発明の好ましい一実施の形態は上記の通りであるが、本発明はそれだけに制限されない。本発明の精神の範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【０１２１】
１００  施工部
２００  プラグビス
３００  固定部材
３１０  貫通孔
３２０  溝部
４００  防水シート（シート）
４１０  溶着マーク（マーク）
５００  電磁誘導加熱装置（加熱装置）
５１０  ケース
５２０  コイル（加熱部）
５３０  押圧部
５３１  中央部
５４０  嵌合部
５５０  把手部
５６０  計測部（加熱時間計測部、押圧時間計測部）
５７０  報知部（加熱時間報知部、押圧時間報知部）
５８０  電源部
５８１  温度計（気温計測部）
５８２  制御部
５８３  記録部（第１記録部、第２記録部）
５８４  警告部
５８５  表示部
６８６  スピーカー
５８７  気温表示部
【図１】
2017128942.tif 000004
【図２】
2017128942.tif 000005
【図３】
2017128942.tif 000006
【図４】
2017128942.tif 000007
【図５】
2017128942.tif 000008
【図６】
2017128942.tif 000009
【図７】
2017128942.tif 000010
【図８】
2017128942.tif 000011